(57)【特許請求の範囲】
【請求項１】
光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する回転操作部とを備えた再生装置において、
前記回転操作部は、円盤型を形成し中央が回転軸に固定され回転操作されることによって軸受部に軸支された当該回転軸を中心軸として時計回り方向又は反時計回り方向に自在に回転する操作円盤部と、
円盤型を形成し中央が前記回転軸に固定され前記操作円盤部が回転することにより操作円盤部と同じ回転速度及び同じ回転方向で回転するホイール部と、
Ｔ字型を形成し前記ホイール部の外周の側面に当接する位置に配設される押圧部と、
前記ホイール部の中央方向に対して垂直方向に自在にスライド可能に成され、側面に前記ホイール部の中心方向に突出すると共にそれぞれ長さが異なりそれぞれの端面部分が階段状を成すように配設された複数の突出部から形成された階段状突出部を備える操作ノブ部と、
前記ホイール部の中心方向及び前記ホイール部の中心方向と反対の方向に自在にスライド可能に成され、前記操作ノブ部が前記ホイール部の中央方向に対して垂直方向にスライドすることにより前記階段状突出部の前記複数の突出部の内のいずれかの突出部に当接すると共に前記ホイール部の中心方向及び前記ホイール部の中心方向と反対の方向に自在にスライドするスライド部と、
一端が前記押圧部と当接し、他端が前記スライド部と当接した状態で配設され前記押圧部を前記ホイール部の中心方向に押圧する弾性体とを備え、
前記押圧部は、前記スライド部が前記ホイール部の中心方向又は前記ホイール部の中心方向と反対の方向にスライドし前記弾性体が圧縮又は膨張することによって前記ホイール部の中心方向への押圧力が変化することを特徴とする再生装置。
【請求項２】
請求項１記載の再生装置において、
前記弾性体は、圧縮バネから成ることを特徴とする再生装置。
【請求項３】
請求項１又は請求項２記載の再生装置において、
前記ホイール部は、外周の側面に全周に亘ってＶ字型を形成した凹部を備え、
前記押圧部は、前記ホイール部に当接する位置にＶ字型を形成した凸部を備えることを特徴とする再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備えた光ディスク再生装置に関する。
【背景技術】
【０００２】
ディスクジョッキー（Disc Jockey（以下、ＤＪという。））は、ダンスクラブ等において、アナログレコード又はコンパクトディスク（CD、Compact Disc）等の光ディスクに記録されたオーディオデータを再生している最中に、擦れ音のような効果音を発生させるスクラッチ再生と呼ばれる特殊再生を行うことがある。ＤＪは、アナログレコードプレーヤを用いてスクラッチ再生を行う場合、再生中のアナログレコードを素早く通常の回転方向である時計回り方向又はその反対方向である反時計回り方向に強制的に手動で回すことにより擦れ音を発生させる。また、このアナログレコードプレーヤによるスクラッチ再生と同様のスクラッチ再生を行うことが可能なＤＪ用の再生装置がある（例えば、特許文献１参照。）。
【０００３】
このＤＪ用の再生装置は、操作円盤部と記憶部（メモリ）を備え、ＣＤから再生したオーディオデータをメモリに記憶し、操作円盤部を時計回り方向又は反時計回り方向に回転することにより、メモリに記憶されたオーディオデータの読み出し速度と読み出し順序を制御し、アナログレコードによる擦れ音と同等の効果音を発生させる。このように、ＤＪは、ＣＤに記録されたオーディオデータをＤＪ用の再生装置により再生しているとき、操作円盤部をアナログレコードと同じように回転操作して、アナログレコードと同様のスクラッチ再生を行うことができる。
【０００４】
このＤＪ用の再生装置は、操作円盤部が操作されない場合、ＣＤに記録されたオーディオデータを標準速度で再生（以下、通常再生という。）する。操作円盤部が回転操作された場合、ＣＤプレーヤは、操作円盤部の回転速度及び回転方向を検出し、検出した回転速度及び回転方向に応じて、ＣＤから再生しメモリに記憶したオーディオデータの読み出し速度及び読み出し順序を変えるスクラッチ再生を行う。
【先行技術文献】
【特許文献】
【０００５】
【特許文献１】特開平１１−８６４４６号公報
【発明の開示】
【発明が解決しようとする課題】
【０００６】
アナログレコードを回転操作して特殊再生を行う場合、ＤＪは、アナログレコードの回転に対する制動力を予め把握しておき、この把握しておいたアナログレコードの制動力に応じてＤＪがアナログレコードに回転力を加えることによって特殊再生を行う。このため、スクラッチ再生等の特殊再生を行うアナログレコードプレーヤでは、アナログレコードの制動力をＤＪが好む制動力に調節することができるように、アナログレコードとターンテーブルの間にアナログレコードの制動力を変化させるためのスリップマットが配設され、このスリップマットの材質や厚さを変えることによって、スリップマットのアナログレコードの回転操作による回転に対する制動力（摩擦力）を調節していた。
【０００７】
しかし、特許文献１に開示されているようなＤＪ用の再生装置では、操作円盤部を回転操作するとき、操作円盤部の回転に対して一定の制動力を付加するのみであり、ＤＪは、操作円盤部を回転操作しやすい制動力に変化させることができない。このため、ＤＪは、操作円盤部の制動力を好みの制動力に調節することができないという課題があった。
【０００８】
本発明は、再生装置において、回転操作により特殊再生を行うことができると共に、回転操作に対する制動力を容易に調節することができる再生装置を提供することを目的とする。
【課題を解決するための手段】
【０００９】
上記の課題を解決するために、本願の請求項１記載の発明は、光ディスクに記録されたオーディオデータを読み取る読取部と、前記読取部が読み取ったオーディオデータを記憶する記憶部と、前記記憶部に記憶されたオーディオデータの読み出し速度及び読み出し順序を指示する回転操作部とを備えた再生装置において、前記回転操作部は、円盤型を形成し中央が回転軸に固定され回転操作されることによって軸受部に軸支された当該回転軸を中心軸として時計回り方向又は反時計回り方向に自在に回転する操作円盤部と、円盤型を形成し中央が前記回転軸に固定され前記操作円盤部が回転することにより操作円盤部と同じ回転速度及び同じ回転方向で回転するホイール部と、Ｔ字型を形成し前記ホイール部の外周の側面に当接する位置に配設される押圧部と、前記ホイール部の中央方向に対して垂直方向に自在にスライド可能に成され、側面に前記ホイール部の中心方向に突出すると共にそれぞれ長さが異なりそれぞれの端面部分が階段状を成すように配設された複数の突出部から形成された階段状突出部を備える操作ノブ部と、前記ホイール部の中心方向及び前記ホイール部の中心方向と反対の方向に自在にスライド可能に成され、前記操作ノブ部が前記ホイール部の中央方向に対して垂直方向にスライドすることにより前記階段状突出部の前記複数の突出部の内のいずれかの突出部に当接すると共に前記ホイール部の中心方向及び前記ホイール部の中心方向と反対の方向に自在にスライドするスライド部と、一端が前記押圧部と当接し、他端が前記スライド部と当接した状態で配設され前記押圧部を前記ホイール部の中心方向に押圧する弾性体とを備え、前記押圧部は、前記スライド部が前記ホイール部の中心方向又は前記ホイール部の中心方向と反対の方向にスライドし前記弾性体が圧縮又は膨張することによって前記ホイール部の中心方向への押圧力が変化すること
を特徴とする。
【００１０】
本願の請求項２記載の発明は、請求項１に記載の再生装置において、前記弾性体は、圧縮バネから成ることを特徴とする。
【００１１】
本願の請求項３記載の発明は、請求項１又は請求項２記載の再生装置において、前記ホイール部は、外周の側面に全周に亘ってＶ字型を形成した凹部を備え、前記押圧部は、前記ホイール部に当接する位置にＶ字型を形成した凸部を備えることを特徴とする。
【発明の効果】
【００１２】
本発明によれば、再生装置において、回転操作により特殊再生を行うことができると共に、回転操作に対する制動力を容易に調節することができる再生装置を提供することができる。
【図面の簡単な説明】
【００１３】
【図１】本発明の一実施例である再生装置の構成を示すブロック図。
【図２】本実施例の再生装置１の回転操作部１５を示す断面図。
【図３】本実施例の再生装置１の一部分を示す図で、図３（ａ）は上面図、図３（ｂ）は図３（ａ）の断面図。
【図４】本実施例の再生装置１の一部分を示す図で、図４（ａ）は図３（ａ）に示す状態から操作ノブ部９を図３（ａ）に示すＲ方向にスライドさせた状態を示す上面図、図４（ｂ）は図４（ａ）に示す状態から操作ノブ部９を更に図３（ａ）に示すＲ方向にスライドさせた状態を示す上面図。
【図５】本実施例の再生装置１の一部分を示す図で、図５（ａ）は図３（ａ）に示す状態から操作ノブ部９を図３（ａ）に示すＬ方向にスライドさせた状態を示す上面図、図５（ｂ）は図５（ａ）に示す状態から操作ノブ部９を更に図３（ａ）に示すＬ方向にスライドさせた状態を示す上面図。
【発明を実施するための最良の形態】
【００１４】
以下、本発明の実施の形態を図面に基づいて説明する。図１は、本発明の一実施例である再生装置の構成を示すブロック図である。
【００１５】
再生装置１は、再生部２０、信号処理部２１、メモリ制御部２２、ＲＡＭ（Random Access Memory）２３、ＤＡＣ（Digital to Analog Converter）２４、出力端子２５、制御部２６、記憶部２７、操作部３０及び表示部４０を備える。
【００１６】
制御部２６は、以下で説明する再生装置１の動作を統括的に制御する。再生部２０は、可搬型又は外部の記録媒体に記録された圧縮された及び／又は非圧縮のデジタルオーディオデータを再生する。記録媒体としては、ＣＤ（Compact Disc）、ＤＶＤ（Digital Versatile Disc）、外部接続可能な外部メモリ等が挙げられる。再生部２０は、記録媒体にトラック単位で記録された圧縮デジタルオーディオデータを再生し、所定フォーマットに変換して出力する。
【００１７】
再生部２０が再生したデジタルオーディオデータは、信号処理部２１に入力される。信号処理部２１は、デジタルオーディオデータの復調、同期信号の抜き出し等の処理を行い、デジタルオーディオデータをメモリ制御部２２に出力する。
【００１８】
メモリ制御部２２は、入力されたデジタルオーディオデータをＲＡＭ２３に書き込むよう制御する。ＲＡＭ２３は、入力されたデジタルオーディオデータを記憶する。また、メモリ制御部２２は、ＲＡＭ２３が記憶したデジタルオーディオデータをＲＡＭ２３から読出すよう制御する。
【００１９】
ＲＡＭ２３から読み出されたデータはＤＡＣ２４に出力される。ＤＡＣ２４は、デジタルオーディオデータをアナログオーディオ信号に変換する。ＤＡＣ２４により変換されたアナログオーディオ信号は、出力端子２５から出力される。デジタル入力可能な機器に出力する場合には、ＤＡＣ２４を設けず、所定のデジタルフォーマットで出力するようにしてもよい。
【００２０】
表示部４０は、液晶表示装置等から構成され、現在再生しているトラックの再生時間、トラックナンバー等を表示する。
【００２１】
操作部３０は、回転操作部１５、図示しない再生開始ボタン、再生停止ボタン、イジェクトボタン等を備える。再生開始ボタン及び再生停止ボタンは、押圧されることによって再生制御に関する指示を受け付ける。回転操作部１５は、後述する操作円盤部からスクラッチ再生等の指示を受け付ける。
【００２２】
図２は、本実施例の再生装置１の回転操作部１５を示す断面図である。
回転操作部１５は、筐体２、回転軸３、軸受部４、操作円盤部５、スケール部６、光センサ部７、ホイール部８、操作ノブ部９、スライド部１０、圧縮バネ１１及び押圧部１２を備える。
【００２３】
筐体２は、上下に貫通する孔２０１を備え、この孔２０１に回転軸３が挿入されている。軸受部４は、筐体２に固定され、回転軸３の下方部分を軸支する。回転軸３は、軸受部４が下方部分を軸支していることにより、下方に抜け落ちないようになっている。
【００２４】
操作円盤部５は、薄い円盤型を形成し、中央に孔５０１を備える。操作円盤部５は、孔５０１に回転軸３が挿入された状態で回転軸３に固定されている。ホイール部８は、円盤型を形成し、中央に孔８０１を備える。ホイール部８は、操作円盤部５の下方に配設され、孔８０１に回転軸３が挿入された状態で回転軸３に固定されている。
【００２５】
スケール部６は、円盤型を形成し、中央に孔６０１を備える。スケール部６は、ホイール部８の下方に配設され、孔５０１に回転軸３が挿入された状態で回転軸３に固定されている。
【００２６】
操作円盤部５は、軸受部４に軸支された回転軸３を中心軸として自在に回転する。スケール部６及びホイール部８は、操作円盤部５と同様に孔６０１及び孔８０１が回転軸３に挿入され固定されていることから、操作円盤部５が回転操作されると、スケール部６及びホイール部８も操作円盤部５と同じ回転速度及び同じ回転方向で回転する。
【００２７】
スケール部６には、外周部にスリット部６０２が設けられている。スリット部６０２は、例えば、長方形状の開口部又はカーボンが含まれた印刷塗料による印刷によって形成されている。
【００２８】
光センサ部７は、操作円盤部５と共に回転するスケール部６の回転速度及び回転方向を検出するために、２つの光センサ（図示しない）を備え、スリット部６０２を検出できる位置に配設された状態で筐体２に固定されている。光センサ部７は、スリット部６０２を検出すると、２つの光センサから位相が異なる（例えば、９０°の位相差）パルス信号ａ及びパルス信号ｂを発生して制御部２６に出力する。
【００２９】
制御部２６は、入力されるパルス信号ａとパルス信号ｂの位相差に基づいて操作円盤部５の回転方向を判別する。例えば、パルス信号ａ及びパルス信号ｂの位相差が９０°である場合、操作円盤部５が時計回り方向に回転しているとき、パルス信号ａは、パルス信号ｂに対して、＋９０°の位相差となる。また、操作円盤部５が反時計回り方向に回転しているとき、パルス信号ａは、パルス信号ｂに対して、−９０°の位相差となる。また、制御部２６は、一定時間に入力されたパルス信号ａ又はパルス信号ｂのどちらか一方のパルス信号のパルス数から操作円盤部５の回転速度を判別する。
【００３０】
制御部２６は、操作円盤部５が回転していない状態の場合、操作部３０の再生開始ボタンが押圧され操作部３０から再生開始の指示を受けると、ＲＡＭ２３から通常の再生速度でデジタルオーディオデータを読み出すようメモリ制御部２２を制御する。
【００３１】
制御部２６は、光センサ部７からパルス信号ａ又はパルス信号ｂが入力されたとき、判別した操作円盤部５の回転速度及び回転方向に対応した読み出し速度及び読み出し順序でＲＡＭ２３からデジタルオーディオデータを読み出すようにメモリ制御部２２を制御する。メモリ制御部２２は、ＲＡＭ２３に記憶されたデジタルオーディオデータの読み出し速度及び読み出し順序（オーディオデータを昇順アドレスで読み出す又は降順で読み出す）を制御する。例えば、制御部２６は、操作円盤部５が時計回り方向に回転操作されると、その回転速度に応じた読み出し速度でＲＡＭ２３に記憶されたデジタルオーディオデータを昇順アドレスで読み出すようにメモリ制御部２２を制御する。また、制御部２６は、操作円盤部５が反時計回り方向に回転操作されると、その回転速度に応じた読み出し速度でＲＡＭ２３に記憶されたデジタルオーディオデータを降順アドレスで読み出すようにメモリ制御部２２を制御する（スクラッチ機能）。
【００３２】
図３は、本実施例の再生装置１の一部分を示す図で、図３（ａ）は上面図、図３（ｂ）は図３（ａ）の断面図である。
【００３３】
図３（ａ）及び図３（ｂ）に示すように、ホイール部８は、外周の側面に全周に亘ってＶ字型を形成した凹部８０２を備える。押圧部１２は、Ｔ字型を成した樹脂部材、例えば、ＰＯＭ（ポリアセタール(polyacetal）)樹脂成型材料により形成され、ホイール部８の中心方向の側面部分にＶ字型を形成した凸部１２１を備える。凸部１２１は、ホイール部８の凹部８０２に当接する位置に配設される。スライド部１０は、円柱型を形成し、ホイール部８の中心方向と対抗する方向に曲面部１０１を備える。スライド部１０は、筐体２の上面に固着された案内部２０３によってホイール部８の中心方向及びホイール部８の中心方向と反対の方向に自在にスライド可能に成されている。
【００３４】
操作ノブ部９は、上面に上方に突出するノブを備えた直方体を形成する。操作ノブ部９は、側面にホイール部８の中心方向に突出すると共にそれぞれ長さが異なる第１突出部９０１ａ〜第４突出部９０１ｄの４つの突出部を形成し、当該第１突出部９０１ａ〜第４突出部９０１ｄの４つの突出部の端面部分が階段状を成すよう配設された階段状突出部９０１を備える。
【００３５】
第２突出部９０１ｂの長さは第１突出部９０１ａよりも長く、また、第３突出部９０１ｃの長さは第２突出部９０１ｂよりも長い。また、第４突出部９０１ｄの長さは第３突出部９０１ｃよりも長く、また、第５突出部９０１ｅの長さは第４突出部９０１ｄよりも長い。
【００３６】
筐体２は、上面に操作ノブ部９を載置する凹部２０２を備える。凹部２０２は、ホイール部８の中央方向に対して垂直となる方向の長さが操作ノブ部９の長さより長く形成されている。操作ノブ部９は、下方部分が凹部２０２に載置されることにより、ホイール部８の中央方向に対して垂直の方向であってホイール部８の上面と平行となる方向、つまり、図３（ａ）に示すＲ方向（操作ノブ部９からホイール部８を見た場合の右方向）及びＬ方向（操作ノブ部９からホイール部８を見た場合の左方向）に自在にスライド可能に成されている。
【００３７】
スライド部１０は、操作ノブ部９を図３（ａ）に示すＲ方向又はＬ方向にスライドさせることによって、ホイール部８の中心方向と対抗する方向の一端の曲面部１０１が第１突出部９０１ａ〜第４突出部９０１ｄの内のいずれかの突出部に当接する位置に配設されている。圧縮バネ１１は、一端が押圧部１２と当接し、他端がスライド部１０と当接した状態で案内部２０３の内部に配設される。圧縮バネ１１は、弾性により押圧部１２をホイール部８の中心方向に押圧する。
【００３８】
ホイール部８は、押圧部１２が圧縮バネ１１によってホイール部８の中心方向に押圧され凹部８０２が押圧部１２の凸部１２１に押圧されることにより、凸部１２１と凹部８０２の間に摩擦抵抗が生じるため、回転軸３を軸に回転しようとする場合に一定の制動力が生じる。このため、操作円盤部５を回転させようとする場合、このホイール部８に生じた制動力によって、操作円盤部５の回転操作に対して一定の制動力が生じる。
【００３９】
図４は、本実施例の再生装置１の一部分を示す図で、図４（ａ）は図３（ａ）に示す状態から操作ノブ部９を図３（ａ）に示すＲ方向にスライドさせた状態を示す上面図、図４（ｂ）は図４（ａ）に示す状態から操作ノブ部９を更に図３（ａ）に示すＲ方向にスライドさせた状態を示す上面図である。
【００４０】
図５は、本実施例の再生装置１の一部分を示す図で、図５（ａ）は図３（ａ）に示す状態から操作ノブ部９を図３（ａ）に示すＬ方向にスライドさせた状態を示す上面図、図５（ｂ）は図５（ａ）に示す状態から操作ノブ部９を更に図３（ａ）に示すＬ方向にスライドさせた状態を示す上面図である。
図３（ａ）に示すように、スライド部１０の一端の曲面部１０１が第３突出部９０１ｃに当接した状態での圧縮バネ１１の長さをＡとする。
【００４１】
図４（ａ）に示すように、図３（ａ）に示す状態から操作ノブ部９をＲ方向にスライドさせると、それまでスライド部１０の曲面部１０１に当接していた第３突出部９０１ｃがＲ方向に移動するため、スライド部１０の曲面部１０１に当接していた階段状突出部９０１が曲面部１０１の曲面を摺動しながら第３突出部９０１ｃから第４突出部９０１ｄに変化する。このとき、スライド部１０は、第４突出部９０１ｄの長さが第３突出部９０１ｃよりも長いことから、ホイール部８の中心方向にスライドする。図４（ａ）に示すように、スライド部１０がホイール部８の中心方向にスライドすることによって、圧縮バネ１１の長さは、図３（ａ）に示すＡよりも短いＢとなる。
【００４２】
圧縮バネ１１は、図３（ａ）に示す長さＡの状態から図４（ａ）に示す長さＢに短くなることにより圧縮され、図３（ａ）に示す状態よりも大きい力で押圧部１２をホイール部８の中心方向に押圧する。押圧部１２は、圧縮バネ１１が図３（ａ）に示す状態よりも大きい力でホイール部８の中心方向に押圧されることにより、凸部１２１がホイール部８の凹部８０２を図３（ａ）に示す状態よりも大きい力で押圧する。ホイール部８は、回転軸３を軸に回転しようとする場合、凹部８０２が図３（ａ）に示す状態よりも大きい力で押圧部１２の凸部１２１に押圧されることにより凸部１２１と凹部８０２の間の摩擦抵抗が大きくなり、図３（ａ）に示す状態より大きい制動力が生じる。このため、図４（ａ）に示す状態で操作円盤部５を回転させようとする場合、操作円盤部５の回転操作に対する制動力は、図３（ａ）に示す状態よりも大きくなる。
【００４３】
図４（ｂ）に示すように、図４（ａ）に示す状態から操作ノブ部９を更にＲ方向にスライドさせると、それまでスライド部１０の曲面部１０１に当接していた第４突出部９０１ｄがＲ方向に移動するため、スライド部１０の曲面部１０１に当接していた階段状突出部９０１が曲面部１０１の曲面を摺動しながら第４突出部９０１ｄから第５突出部９０１ｅに変化する。このとき、スライド部１０は、第５突出部９０１ｅの長さが第４突出部９０１ｄよりも長いことから、ホイール部８の中心方向にスライドする。図４（ｂ）に示すように、スライド部１０がホイール部８の中心方向にスライドすることによって、圧縮バネ１１の長さは、図４（ａ）に示すＢよりも短いＣとなる。
【００４４】
圧縮バネ１１は、図４（ａ）に示す長さＢの状態から図４（ｂ）に示す長さＣに短くなることにより圧縮され、図４（ａ）に示す状態よりも大きい力で押圧部１２をホイール部８の中心方向に押圧する。押圧部１２は、圧縮バネ１１が図４（ａ）に示す状態よりも大きい力でホイール部８の中心方向に押圧されることにより、凸部１２１がホイール部８の凹部８０２を図４（ａ）に示す状態よりも大きい力で押圧する。ホイール部８は、回転軸３を軸に回転しようとする場合、凹部８０２が図４（ａ）に示す状態よりも大きい力で押圧部１２の凸部１２１に押圧されることにより凸部１２１と凹部８０２の間の摩擦抵抗が大きくなり、図４（ａ）に示す状態より大きい制動力が生じる。このため、図４（ｂ）に示す状態で操作円盤部５を回転させようとする場合、操作円盤部５の回転操作に対する制動力は、図４（ａ）に示す状態よりも大きくなる。
【００４５】
図５（ａ）に示すように、図３（ａ）に示す状態から操作ノブ部９をＬ方向にスライドさせると、それまでスライド部１０の曲面部１０１に当接していた第３突出部９０１ｃがＬ方向に移動するため、スライド部１０の曲面部１０１に当接していた階段状突出部９０１が曲面部１０１の曲面を摺動しながら第３突出部９０１ｃから第２突出部９０１ｂに変化する。このとき、スライド部１０は、第２突出部９０１ｂの長さが第３突出部９０１ｃよりも短いことから、ホイール部８の中心方向と反対の方向にスライドする。図５（ａ）に示すように、スライド部１０がホイール部８の中心方向と反対の方向にスライドすることによって、圧縮バネ１１の長さは、図３（ａ）に示すＡよりも長いＤとなる。
【００４６】
圧縮バネ１１は、図３（ａ）に示す長さＡの状態から図５（ａ）に示す長さＤに長くなることにより膨張され、図３（ａ）に示す状態よりも小さい力で押圧部１２をホイール部８の中心方向に押圧する。押圧部１２は、圧縮バネ１１が図３（ａ）に示す状態よりも小さい力でホイール部８の中心方向に押圧されることにより、凸部１２１がホイール部８の凹部８０２を図３（ａ）に示す状態よりも小さい力で押圧する。ホイール部８は、回転軸３を軸に回転しようとする場合、凹部８０２が図３（ａ）に示す状態よりも小さい力で押圧部１２の凸部１２１に押圧されることにより凸部１２１と凹部８０２の間の摩擦抵抗が小さくなり、図３（ａ）に示す状態より小さい制動力が生じる。このため、図５（ａ）に示す状態で操作円盤部５を回転させようとする場合、操作円盤部５の回転操作に対する制動力は、図３（ａ）に示す状態よりも小さくなる。
【００４７】
図５（ｂ）に示すように、図５（ａ）に示す状態から操作ノブ部９を更にＬ方向にスライドさせると、それまでスライド部１０の曲面部１０１に当接していた第２突出部９０１ｂがＬ方向に移動するため、スライド部１０の曲面部１０１に当接していた階段状突出部９０１が曲面部１０１の曲面を摺動しながら第２突出部９０１ｂから第１突出部９０１ａに変化する。このとき、スライド部１０は、第１突出部９０１ａの長さが第２突出部９０１ｂよりも短いことから、ホイール部８の中心方向と反対の方向にスライドする。図５（ｂ）に示すように、スライド部１０がホイール部８の中心方向と反対の方向にスライドすることによって、圧縮バネ１１の長さは、図５（ａ）に示すＤよりも長いＥとなる。
【００４８】
圧縮バネ１１は、図５（ｂ）に示す長さＤの状態から図５（ｂ）に示す長さＥに長くなることにより膨張され、図５（ａ）に示す状態よりも小さい力で押圧部１２をホイール部８の中心方向に押圧する。押圧部１２は、圧縮バネ１１が図５（ａ）に示す状態よりも小さい力でホイール部８の中心方向に押圧されることにより、凸部１２１がホイール部８の凹部８０２を図５（ａ）に示す状態よりも小さい力で押圧する。ホイール部８は、回転軸３を軸に回転しようとする場合、凹部８０２が図５（ａ）に示す状態よりも小さい力で押圧部１２の凸部１２１に押圧されることにより凸部１２１と凹部８０２の間の摩擦抵抗が小さくなり、図５（ａ）に示す状態より小さい制動力が生じる。このため、図５（ｂ）に示す状態で操作円盤部５を回転させようとする場合、操作円盤部５の回転操作に対する制動力は、図５（ａ）に示す状態よりも小さくなる。
【００４９】
以上のように、本実施例の再生装置１は、操作ノブ部９を図３（ａ）に示すＲ方向又はＬ方向にスライドさせることにより、スライド部１０の曲面部１０１に当接する突出部が階段状突出部９０１の第１突出部９０１ａ〜第５突出部９０１ｅのいずれかの突出部に変化し、その結果、圧縮バネ１１の長さが変化することによってホイール部８の凹部８０２に当接する押圧部１２の凸部１２１の押圧力が変化することにより凸部１２１と凹部８０２の間の摩擦抵抗が変化するため、操作円盤部５を回転させようとする場合、操作円盤部５の回転操作に対する制動力を簡単に変化させることができる。
【００５０】
このことにより、本実施例の再生装置１は、例えば、ＤＪが操作円盤部５を回転操作してスクラッチ再生等の特殊再生を行う場合、操作ノブ部９を図３（ａ）に示すＲ方向またはＬ方向スライドさせることによって、操作円盤部５の制動力を好みの制動力に簡単に調節することができる。
【００５１】
本実施例の再生装置１は、ホイール部８の外周全域に亘ってＶ字型を成す凹部８０２にＶ字型を形成した凸部１２１を押圧させて操作円盤部５の回転に対する制動力を生じさせていることにより、操作円盤部５の回転時の騒音を低減することができる。つまり、操作円盤部の回転に対する制動力を生じさせるための構成として、例えば、操作円盤部の回転に同期して回転する回転ギヤ又はゴムローラを備え、この回転ギヤ又はゴムローラの回転に与える負荷を変化させることによって操作円盤部の回転操作に対する制動力を調節する構成の場合、回転ギヤ又はゴムローラが回転することによって騒音が発生してしまうが、本実施例の再生装置１は、ホイール部８のＶ字型を形成した凹部８０２にＶ字型を形成した凸部１２１を点接触させることのみによって操作円盤部５の回転に対する制動力を生じさせているため、操作円盤部５の回転時の騒音を低減することができる。
【００５２】
また、本実施例の再生装置１は、押圧部１２の部材が潤滑性の高いＰＯＭ樹脂成型材料により形成されているため、押圧部１２をＰＯＭ樹脂成型材料以外の他の部材で形成した場合よりも、回転するホイール部８の凹部８０２に凸部１２１が接触するときの騒音が更に低減するため、操作円盤部５の回転時の騒音を更に低減することができる。なお、ホイール部８の凹部８０２に接触する凸部１２１の接触部分にグリスを塗布することによって、更に操作円盤部５の回転時の騒音を低減させることができる。
【００５３】
本実施例の再生装置１は、スライド部１０に当接させるための突出部として第１突出部９０１ａ〜第５突出部９０１ｅの５つの突出部を操作ノブ部９が備える構成としたが、６つ以上の突出部を備える構成としても良い。このことによって、操作円盤部５の回転操作に対する制動力をより詳細に調節することができる。
【００５４】
本実施例の再生装置１は、スライド部１０に当接させるための突出部として第１突出部９０１ａ〜第５突出部９０１ｅの５つの突出部を操作ノブ部９が備える構成としたが、４つ以下の突出部を備える構成としても良い。このことによって、操作ノブ部９の製造コストを安価にすることができ、再生装置１の製造コストを低減させることができる。
【００５５】
本実施例の再生装置１は、押圧部１２をホイール部８に押圧させるために圧縮バネ１１を備える構成としたが、圧縮バネ以外の弾性体、例えば、ゴム部材やウレタン部材等を備える構成としても良い。
【００５６】
本実施例の再生装置１は、ホイール部８のＶ字型を形成した凹部８０２に押圧部１２のＶ字型を形成した凸部１２１を当接させる構成としたが、ホイール部８の外周の側面にＶ字型を形成した凸部を備えると共に押圧部１２の一端にＶ字型を形成した凹部を備え、ホイール部８の外周に側面に備える凸部に押圧部１２の凹部を当接させる構成としても良い。また、ホイール部８の外周の側面に押圧部１２を当接させることができる構成であれば、Ｖ字型の凹部及び凸部以外にも、Ｔ字型、円筒型等、どのような形状であっても良い。
【００５７】
本実施例の再生装置１は、操作ノブ部９がホイール部８の中央方向に対して垂直の方向であってホイール部８の上面と平行となる方向、つまり、図３（ａ）に示すＲ方向（操作ノブ部９からホイール部８を見た場合の右方向）及びＬ方向（操作ノブ部９からホイール部８を見た場合の左方向）に自在にスライド可能に成される構成としたが、ホイール部８の凹部８０２に当接する押圧部１２の凸部１２１の押圧力を変化させることができるのであれば、どのような方向にスライドするような構成、例えば、操作ノブ部９がホイール部８の上面に対して上下にスライドする構成としても良いし、操作ノブ部９自体がホイール部８の中心方向及びホイール部８の中心方向と反対の方向に自在にスライド可能となる構成としても良い。
【００５８】
本実施例の再生装置１は、操作円盤部５に固定された回転軸３を軸受部４によって軸支する構成としたが、例えば、操作円盤部５の外周部分の下面に下方に突出したリング状のリブを備えると共に、筐体２の上面に当該リブと当接するリング状のリブ受け部を備え、操作円盤部５の回転を当該リブと当接したリブ受け部によって支持する構成としても良い。このことによって、操作円盤部５の外周部分を強い力で下方に押圧された場合に操作円盤部５が撓んでしまったり、また、回転軸３と軸受部４の間にガタつきが生じてしまい操作円盤部５をスムーズに回転させることができなくなってしまうことを防止することができる。この場合、操作円盤部５に備えるリブの材質又は筐体２に備えるリブ受け部の材質を、例えば、潤滑性の高いＰＯＭ樹脂成型材料により形成することによって、操作円盤部５を更にスムーズに回転させることができる。
【産業上の利用可能性】
【００５９】
本発明は、光ディスクから読み取ったオーディオデータを記憶部に記憶し、記憶部に記憶したオーディオデータの読み出し速度及び読み出し順序を指示する操作円盤部を備えた光ディスク再生装置に有用に用いることができる。
【符号の説明】
【００６０】
１  再生装置、２  筐体、２０１  孔、２０２  凹部、２０３  案内部、
３  回転軸、４  軸受部、５  操作円盤部、５０１  孔、
６  スケール部、６０１  孔、６０２スリット部、
７  光センサ部、８  ホイール部、８０１  孔、８０２  凹部、
９  操作ノブ部、９０１  階段状突出部、
９０１ａ  第１突出部、９０１ｂ  第２突出部、９０１ｃ  第３突出部、
９０１ｄ  第４突出部９０１ｄ  ９０１ｅ  第５突出部、
１０  スライド部、１０１  曲面部、１１  圧縮バネ、
１２  押圧部、１２１  凸部、１５  回転操作部、
２０  再生部、２１  信号処理部、２２  メモリ制御部、２３  ＲＡＭ、２４  ＤＡＣ、
２５  出力端子、２６  制御部、２７  記憶部、
３０  操作部、４０  表示部
【図１】
0005925525.tif 000002
【図２】
0005925525.tif 000003
【図３】
0005925525.tif 000004
【図４】
0005925525.tif 000005
【図５】
0005925525.tif 000006